(57)【要約】本発明は、可視領域コンテンツと関連した広告を提供する方法およびこの方法を実行するシステムに関する。本発明に係るコンテンツと関連した広告を提供する方法は、ウェブページを所定の領域区分方法を用いて複数のコンテンツ領域に区分するステップと、ウェブページで所定のイベントが発生する場合に、イベントが発生したコンテンツ領域を確認するステップと、確認されたコンテンツ領域に含まれているコンテンツを認識するステップと、認識されたコンテンツと関連した広告を提供するステップとを含む。【選択図】図２
2009524847.tif 000002
【特許請求の範囲】
【請求項１】
コンテンツと関連した広告を提供する方法であって、
ウェブページを所定の領域区分方法を用いて複数のコンテンツ領域に区分するステップと、
前記ウェブページで所定のイベントが発生する場合に、前記イベントが発生したコンテンツ領域を確認するステップと、
前記確認されたコンテンツ領域に含まれているコンテンツを認識するステップと、
前記認識されたコンテンツと関連した広告を提供するステップと、
を含むことを特徴とするコンテンツ関連広告提供方法。
【請求項２】
前記ウェブページで所定のイベントが発生する場合に、前記イベントが発生したコンテンツ領域を確認する前記ステップは、
前記イベントが所定のユーザ入力である場合に、前記ユーザ入力が発生した位置の領域をコンテンツ領域として確認するステップ、
を含むことを特徴とする請求項１に記載のコンテンツ関連広告提供方法。
【請求項３】
前記ユーザ入力は、（１）前記ウェブページ内の単語または前記コンテンツ領域におけるマウスオーバ、（２）マウスを用いた単語または文章に対するドラッグ、または（３）前記ウェブページ内におけるマウスクリックを含むことを特徴とする請求項２に記載のコンテンツ関連広告提供方法。
【請求項４】
前記ウェブページで所定のイベントが発生する場合に、前記イベントが発生したコンテンツ領域を確認する前記ステップは、
前記イベントがスクローリングである場合に、前記スクローリング発生後、所定の有効領域をコンテンツ領域として確認するステップ、
をさらに含むことを特徴とする請求項１に記載のコンテンツ関連広告提供方法。
【請求項５】
前記有効領域は、前記スクローリングに従って出力される前記複数のコンテンツ領域のうちで最も多くの比重を占めるコンテンツ領域を含むことを特徴とする請求項４に記載のコンテンツ関連広告提供方法。
【請求項６】
前記認識されたコンテンツと関連した広告を提供する前記ステップは、
スクローリングの可否に応じてスカイスクレイパ形態又は固定形態を選択するステップと、
前記選択された形態の広告を提供するステップと、
を含むことを特徴とする請求項１に記載のコンテンツ関連広告提供方法。
【請求項７】
前記領域区分方法は、前記ウェブページを構成するためにコンテンツ単位に区分されているプログラムコードを用いて前記コンテンツ領域を区分する方法を含むことを特徴とする請求項１に記載のコンテンツ関連広告提供方法。
【請求項８】
前記領域区分方法は、ブログ掲示文を基準として前記コンテンツ領域を区分する方法を含むことを特徴とする請求項１に記載のコンテンツ関連広告提供方法。
【請求項９】
コンテンツと関連した広告を提供する方法であって、
ウェブページを所定の領域区分方法を用いて複数のコンテンツ領域に区分するステップと、
前記ウェブページの中からユーザ端末機に提供されている可視領域を識別するステップと、
前記識別された可視領域に関連するコンテンツ領域を確認するステップと、
前記確認されたコンテンツ領域に含まれているコンテンツと関連した広告を提供するステップと、
を含むことを特徴とするコンテンツ関連広告提供方法。
【請求項１０】
前記ウェブページの中からユーザ端末機に提供されている可視領域を識別する前記ステップは、（１）前記ウェブページ内の単語または前記コンテンツ領域におけるマウスオーバ、（２）マウスを用いた単語または文章に対するドラッグ、または（３）前記ウェブページ内におけるマウスクリックのうちの少なくとも１つが発生した位置の領域を前記可視領域として識別することを特徴とする請求項９に記載のコンテンツ関連広告提供方法。
【請求項１１】
前記ウェブページの中からユーザ端末機に提供されている可視領域を識別する前記ステップは、スクローリングの発生後、前記スクローリングに従って出力される前記複数のコンテンツ領域のうちで最も多くの比重を占めるコンテンツ領域を前記可視領域として識別することを特徴とする請求項９に記載のコンテンツ関連広告提供方法。
【請求項１２】
前記確認されたコンテンツ領域に含まれているコンテンツと関連した広告を提供する前記ステップは、
スクローリングの可否に応じてスカイスクレイパ形態または固定形態を選択するステップと、
前記選択された形態の広告を提供するステップと、
を含むことを特徴とする請求項９に記載のコンテンツ関連広告提供方法。
【請求項１３】
前記領域区分方法は、前記ウェブページを構成するためにコンテンツ単位に区分されているプログラムコードを用いて前記コンテンツ領域を区分する方法を含むことを特徴とする請求項９に記載のコンテンツ関連広告提供方法。
【請求項１４】
前記領域区分方法は、ブログ掲示文を基準として前記コンテンツ領域を区分する方法を含むことを特徴とする請求項９に記載のコンテンツ関連広告提供方法。
【請求項１５】
請求項１〜１４のうちのいずれか一項の方法を実行させるためのプログラムを記録したコンピュータ読み取り可能な記録媒体。
【請求項１６】
コンテンツ関連広告提供システムであって、
ウェブページを所定の領域区分方法を用いて複数のコンテンツ領域に区分するコンテンツ領域区分部と、
前記ウェブページで所定のイベントが発生する場合に、前記イベントが発生したコンテンツ領域を確認するコンテンツ領域確認部と、
前記確認されたコンテンツ領域に含まれているコンテンツを認識するコンテンツ認識部と、
前記認識されたコンテンツと関連した広告を提供する広告提供部と、
を備えることを特徴とするシステム。
【請求項１７】
前記コンテンツ領域確認部は、
前記イベントが所定のユーザ入力である場合に、前記ユーザ入力が発生した位置の領域をコンテンツ領域として確認する入力発生領域確認部、
を備えることを特徴とする請求項１６に記載のシステム。
【請求項１８】
前記コンテンツ領域確認部は、
前記イベントがスクローリングである場合に、前記スクローリング発生後、所定の有効領域をコンテンツ領域として確認する有効領域確認部、
をさらに備えることを特徴とする請求項１６に記載のシステム。
【請求項１９】
前記認識されたコンテンツと関連した広告を提供する前記広告提供部は、
スクローリングの可否に応じてスカイスクレイパ形態又は固定形態を選択する形態選択部と、
前記選択された形態の広告を提供する選択形態広告提供部と、
を備えることを特徴とする請求項１６に記載のシステム。
【発明の詳細な説明】
【技術分野】
【０００１】
本発明は、可視領域コンテンツ（Ｃｏｎｔｅｎｔｓ）と関連した広告を提供する方法およびこの方法を実行するシステムに関する。
【背景技術】
【０００２】
多様な主題（テーマ）のコンテンツが同時に提供されるウェブページの場合には、初めに広告がウェブページを介して提供されると、ユーザがページをスクロールして他の主題のコンテンツを見ていても、その始めに提供された広告は、初めと同じように提供される。
【０００３】
そして、例えば、ブログ（Ｂｌｏｇ）のようにページの長さが長かったり、多様な主題のコンテンツが同時に提供されるウェブページなどでは、ユーザの関心が異なる主題のコンテンツに変えても、既存の広告は内容が変わることなく提供され、結局はユーザの関心を引くことができないという問題点がある。
【０００４】
図１は、コンテンツと広告とをマッチングさせて提供する従来技術に係る方法を示すフローチャートである。図１のような従来技術によれば、コンテンツと広告をそれぞれ分析し、互いにマッチングする広告を提供する方法を用いているため、ユーザの関心が同じウェブページの他のコンテンツに移っても、一度提供された広告は変わらずに提供される。
【０００５】
したがって、多様な主題のコンテンツを含んでいるウェブページにおいて、該ウェブページの１種類のコンテンツのみに関連する広告は、ユーザの関心が他に移った場合にユーザの関心事に焦点を合わせて広告することを望む広告主の意図に適合しないという問題点がある。
【発明の開示】
【発明が解決しようとする課題】
【０００６】
本発明は、上記のような従来技術の問題点を解決するために、ウェブページ（Ｗｅｂ  Ｐａｇｅ）での所定のイベント（Ｅｖｅｎｔ）を用いて可視領域コンテンツ（Ｃｏｎｔｅｎｔｓ）を認識し、認識されたコンテンツと関連した広告を提供する方法に関する新しい技術を提案する。
【０００７】
本発明は、複数のコンテンツ領域に区分されているウェブページで発生するマウスオーバ（Ｍｏｕｓｅ  Ｏｖｅｒ）、ドラッグ（Ｄｒａｇ）、クリック（Ｃｌｉｃｋ）、またはスクローリング（Ｓｃｒｏｌｌｉｎｇ）などのイベントを用いてユーザが関心を有するコンテンツを認識し、コンテンツと関連した広告を提供することを目的とする。
【０００８】
また、本発明は、スカイスクレイパ（Ｓｋｙｓｃｒａｐｅｒ）形態の広告及び固定形態の広告を用い、スクローリングの可否に関係なく、ユーザが関心を有するコンテンツと関連した広告を持続して提供することを他の目的とする。
【０００９】
さらに、本発明は、ユーザが現在見ているコンテンツと関連した広告を提供することで、ユーザが関心を有しているコンテンツと関連した広告を提供しようとする広告主の意図に適合させることをさらに他の目的とする。
【課題を解決するための手段】
【００１０】
上記した目的を達成し、上述した従来技術の問題点を解決するために、本発明の一実施形態に係るコンテンツと関連した広告を提供する方法は、ウェブページを所定の領域区分方法を用いて複数のコンテンツ領域に区分するステップと、前記ウェブページで所定のイベントが発生する場合に、前記イベントが発生したコンテンツ領域を確認するステップと、前記確認されたコンテンツ領域に含まれているコンテンツを認識するステップと、前記認識されたコンテンツと関連した広告を提供するステップとを含むことができる。
【００１１】
本発明の一側によれば、前記ウェブページで所定のイベントが発生する場合に、前記イベントが発生したコンテンツ領域を確認する前記ステップは、前記イベントが所定のユーザ入力である場合に、前記ユーザ入力が発生した位置の領域をコンテンツ領域として確認するステップを含むことができる。
【００１２】
本発明の他の側面によれば、前記ウェブページで所定のイベントが発生する場合に、前記イベントが発生したコンテンツ領域を確認する前記ステップは、前記イベントがスクローリングである場合に、前記スクローリング発生後、所定の有効領域をコンテンツ領域として確認するステップをさらに含むことができる。
【００１３】
本発明のさらに他の側面によれば、前記認識されたコンテンツと関連した広告を提供する前記ステップは、前記スクローリングの可否に応じてスカイスクレイパ形態または固定形態を選択するステップと、前記選択された形態の広告を提供するステップとを含むことができる。
【００１４】
本発明の他の実施形態に係るコンテンツ関連広告提供システムは、ウェブページを所定の領域区分方法を用いて複数のコンテンツ領域に区分するコンテンツ領域区分部と、前記ウェブページで所定のイベントが発生する場合に、前記イベントが発生したコンテンツ領域を確認するコンテンツ領域確認部と、前記確認されたコンテンツ領域に含まれているコンテンツを認識するコンテンツ認識部と、前記認識されたコンテンツと関連した広告を提供する広告提供部とを備えることができる。
【００１５】
本発明のさらに他の実施形態に係るコンテンツと関連した広告を提供する方法は、ウェブページを所定の領域区分方法を用いて複数のコンテンツ領域に区分するステップと、前記ウェブページの中からユーザ端末機に提供されている可視領域を識別するステップと、前記識別された可視領域に関連するコンテンツ領域を確認するステップと、前記確認されたコンテンツ領域に含まれているコンテンツと関連した広告を提供するステップとを含むことができる。
【００１６】
本発明の一側によれば、前記ウェブページのうちからユーザ端末機に提供されている可視領域を識別する前記ステップは、（１）前記ウェブページ内の単語または前記コンテンツ領域におけるマウスオーバ、（２）マウスを用いた単語または文章に対するドラッグ、または（３）前記ウェブページ内におけるマウスクリックのうちの少なくとも１つが発生した位置の領域を前記可視領域として識別することができる。
【００１７】
本発明の他の側面によれば、前記ウェブページのうちからユーザ端末機に提供されている可視領域を識別する前記ステップは、スクローリングの発生後、前記スクローリングに従って出力される前記複数のコンテンツ領域のうちで最も多くの比重を占めるコンテンツ領域を前記可視領域として識別することができる。
【００１８】
本発明のさらに他の側面によれば、前記確認されたコンテンツ領域に含まれているコンテンツと関連した広告を提供する前記ステップは、スクローリングの可否に応じてスカイスクレイパ形態または固定形態を選択するステップと、前記選択された形態の広告を提供するステップとを含むことができる。
【００１９】
本発明のさらに他の側面によれば、前記領域区分方法は、前記ウェブページを構成するためにコンテンツ単位に区分されているプログラムコード（Ｐｒｏｇｒａｍ  Ｃｏｄｅ）を用いて前記コンテンツ領域を区分する方法を含んだり、ブログ掲示文（blog bulletin board ）を基準として前記コンテンツ領域を区分する方法を含んだりすることができる。
【発明を実施するための最良の形態】
【００２０】
以下、添付の図面を参照しながら、本発明に係る多様な実施形態について詳しく説明する。
【００２１】
図２は、本発明の一実施形態において、イベントの発生を用いた可視領域コンテンツと関連した広告を提供する方法を示すフローチャートである。
【００２２】
ステップＳ２０１で、可視領域コンテンツと関連した広告を提供するシステムは、ウェブページを所定の領域区分方法を用いて複数のコンテンツ領域に区分する。この場合に、領域区分方法は、ウェブページを構成するためにコンテンツ単位に区分されているプログラムコードを用いてコンテンツ領域を区分する方法、またはブログ掲示文を基準としてコンテンツ領域を区分する方法を含むことができる。
【００２３】
ステップＳ２０２で、システムは、イベントの発生の可否を確認し、イベント発生が確認されればステップＳ２０３を実行し、イベントの発生が確認されなければイベントが発生するまで待機する。この場合に、イベントは、所定のユーザ入力またはスクローリングを含むことができる。さらに、ユーザ入力４０２は、（１）ウェブページ内の単語またはコンテンツ領域におけるマウスオーバ、（２）マウスを用いた単語または文章に対するドラッグ、または（３）ウェブページ内におけるマウスクリックを含むことができる。
【００２４】
ステップＳ２０３で、システムは、ウェブページでイベント発生が確認された場合に、イベントが発生したコンテンツ領域を確認する。この場合に、システムは、イベントが所定のユーザ入力である場合には、ユーザ入力が発生した位置の領域をコンテンツ領域として確認する。さらに、システムは、イベントがスクローリングである場合には、所定の有効領域をコンテンツ領域として確認する。
【００２５】
ステップＳ２０４で、システムは、確認されたコンテンツ領域に含まれているコンテンツを認識する。
【００２６】
ステップＳ２０５で、システムは、認識されたコンテンツと関連した広告を提供する。この場合に、システムは、スクローリングの可否に応じてスカイスクレイパ形態の広告または固定形態の広告を選択し、選択された形態の広告を提供する。
【００２７】
図３は、本発明の一実施形態において、ウェブページを複数のコンテンツ領域に区分する一例を示す図である。
【００２８】
図中の符号３０１は、ウェブページを構成するためにコンテンツ単位に区分されているプログラムコードを用いてコンテンツ領域を区分する方法の一例を示している。
【００２９】
図中の符号３０２は、ブログ掲示文領域をコンテンツ領域に区分する方法の一例を示している。ブログのようにウェブページ上に多様な主題（テーマ）のコンテンツが長く羅列されている場合には、掲示文を基準として領域を区分することができる。
【００３０】
図４は、本発明の一実施形態において、ユーザ入力によるコンテンツ領域確認方法およびコンテンツ関連広告提供方法の一例を示す図である。
【００３１】
上述したような一例は、多数のコンテンツ領域および広告領域で区分されているウェブページ４００において、ユーザ入力４０１が発生したコンテンツ領域５（符号４０２）を確認し、コンテンツ領域５（符号４０２）が含んでいるコンテンツを認識し、このコンテンツに関連する広告４０３を提供する方法を示している。
【００３２】
図５は、本発明の一実施形態において、スクローリングによるコンテンツ領域確認方法およびコンテンツ関連広告提供方法の一例を示す図である。
【００３３】
スクロールバー５０１は、ウェブページ５００の情報を画面に一度にディスプレイ（Ｄｉｓｐｌａｙ）できないときに、現在の画面の情報がウェブページ５００のどの辺りに位置するのかを表示する道具（ツール）であって、ユーザは、スクローリングを介して画面にディスプレイされる情報の位置を変更することができる。
【００３４】
コンテンツ領域２（符号５０２）は、スクローリング後に画面で最も大きい比重を占めるコンテンツ領域を示している。この場合に、コンテンツ領域２（符号５０２）が含んでいるコンテンツを認識し、このコンテンツに関連する広告５０３を提供する。
【００３５】
図６は、本発明の一実施形態において、ウェブページにおけるスクローリングと関連したスカイスクレイパ形態広告使用の一例を示す図である。
【００３６】
ウェブページ６０１において、スカイスクレイパ形態広告６０２、６０３は、画面と対向している状態で、ユーザの視線を引き易いウェブページ６０１上の右側視野に位置し、垂直に長く伸びた長方形状で制作された形態の広告である。
【００３７】
このように制作されたスカイスクレイパ形態広告６０２、６０３は、他のコンテンツを見るためにスクロールバー６０４を下げても、広告が持続してウェブページ６０１上に示されるため、ユーザの視線を引くことができる。
【００３８】
図７は、本発明の一実施形態において、ウェブページにおけるスクローリングと関連した固定形態広告の一例を示す図である。
【００３９】
ウェブページ７０１において、ユーザ入力７０５が発生するコンテンツ領域のコンテンツを認識し、提供していた固定形態広告７０３をコンテンツに関連する固定形態広告７０４に変更し、ユーザが関心を有するコンテンツと関連した広告を提供することができる。また、固定形態広告７０３、７０４は、一般のバナー（Ｂａｎｎｅｒ）形態の広告を含むことができる。
【００４０】
図８は、本発明の一実施形態において、可視領域コンテンツと関連した広告を提供するためのシステムの内部構成を説明するためのブロック図である。図８は、コンテンツ関連広告を提供するシステム８００を示している。このようなシステム８００は、コンテンツ領域区分部８０１と、コンテンツ領域確認部８０２と、コンテンツ認識部８０３と、広告提供部８０４とを備えることができる。
【００４１】
コンテンツ領域区分部８０１は、ウェブページを所定の領域区分方法を用いて複数のコンテンツ領域に区分する。この場合、領域区分方法は、ウェブページを構成するためにコンテンツ単位に区分されているプログラムコードを用いてコンテンツ領域を区分する方法、またはブログ掲示文を基準としてコンテンツ領域を区分する方法を含むことができる。
【００４２】
コンテンツ領域確認部８０２は、ウェブページで所定のイベントが発生する場合に、イベントが発生したコンテンツ領域を確認する。この場合に、イベントは、ユーザ入力およびスクローリングを含むことができる。
【００４３】
コンテンツ認識部８０３は、ウェブページでイベント発生が確認されたコンテンツ領域が含んでいるコンテンツを認識する。
【００４４】
広告提供部８０４は、認識されたコンテンツと関連した広告を提供する。上述したように、ユーザ入力およびスクローリングを介してユーザが関心を有しているコンテンツを把握することで、コンテンツと関連した広告を提供しようとする広告主の意図に適合して広告を提供することができる。
【００４５】
図９は、本発明の一実施形態において、コンテンツ領域確認部の内部構成を説明するためのブロック図である。図９に示すように、コンテンツ領域確認部８０２は、入力発生領域確認部９０１と、有効領域確認部９０２とを備えることができる。
【００４６】
入力発生領域確認部９０１は、イベントがユーザ入力である場合に、ユーザ入力が発生した位置の領域をコンテンツ領域として確認する。この場合に、ユーザ入力は、ウェブページ内の単語またはコンテンツ領域におけるマウスオーバ、マウスを用いた単語または文章に対するドラッグ、またはウェブページ内におけるマウスクリックを含むことができる。
【００４７】
有効領域確認部９０２は、イベントがスクローリングである場合に、スクローリング発生後、所定の有効領域をコンテンツ領域として確認する。この場合に、有効領域は、スクローリングによって出力される複数のコンテンツ領域のうちで最も多くの比重を占めるコンテンツ領域を含むことができる。
【００４８】
このような入力発生領域確認部９０１および有効領域確認部９０２を介し、ユーザ入力またはスクローリングを用いて、ウェブページの長さに関係なくユーザが関心を有するコンテンツ領域を確認することができる。
【００４９】
図１０は、本発明の一実施形態において、広告提供部の内部構成を説明するためのブロック図である。図１０に示すように、広告提供部８０４は、形態選択部１００１と、選択形態広告提供部１００２とを備えることができる。
【００５０】
形態選択部１００１は、スクローリングの可否に応じてスカイスクレイパ形態または固定形態を選択する。スクローリングが必要な場合は、スクローリングが発生しても画面に広告が持続して発生されるスカイスクレイパ形態を選択し、スクローリングが必要ではない場合は固定形態を選択する。
【００５１】
選択形態広告提供部１００２は、選択された形態を用いてスカイスクレイパ形態広告および固定形態広告を提供する。
【００５２】
図１１は、本発明の一実施形態において、可視領域コンテンツと関連した広告を提供する方法を示すフローチャートである。図１１は、イベントを用いてユーザが関心を有するコンテンツを認識する方法とは異なり、可視領域上のコンテンツを認識して関連広告を提供する方法を示している。
【００５３】
該方法は、ウェブページを所定の領域区分方法を用いて複数のコンテンツ領域に区分するステップＳ１１０１と、ウェブページのうちからユーザ端末機に提供されている可視領域を識別するステップＳ１１０２と、識別された可視領域に関連するコンテンツ領域を確認するステップＳ１１０３と、確認されたコンテンツ領域に含まれているコンテンツと関連した広告を提供するステップＳ１１０４とを含んでいる。
【００５４】
ステップＳ１１０１で用いられる領域区分方法は、ウェブページを構成するためにコンテンツ単位に区分されているプログラムコードを用いてコンテンツ領域を区分する方法であることができる。
【００５５】
また、領域区分方法は、ブログ掲示文を基準としてコンテンツ領域を区分する方法であることもできる。
【００５６】
ステップＳ１１０２は、（１）ウェブページ内の単語またはコンテンツ領域におけるマウスオーバ、（２）マウスを用いた単語または文章に対するドラッグ、または（３）ウェブページ内におけるマウスクリックのうちの少なくとも１つが発生した位置の領域を可視領域として識別することができる。
【００５７】
また、ステップＳ１１０２は、スクローリングの発生後、スクローリングによって出力される複数のコンテンツ領域のうちで最も多くの比重を占めるコンテンツ領域を可視領域として識別することもできる。
【００５８】
ステップＳ１１０４は、スクローリングの可否に応じてスカイスクレイパ形態または固定形態を選択し、選択された形態の広告を提供するステップを含むことができる。
【００５９】
なお、本発明に係る可視領域コンテンツと関連した広告を提供する方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００６０】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【産業上の利用可能性】
【００６１】
本発明によれば、複数のコンテンツ領域に区分されているウェブページで発生するマウスオーバ、ドラッグ、クリック、またはスクローリングなどのイベントを用いてユーザが関心を有するコンテンツを認識し、コンテンツと関連した広告を提供することができる。
【００６２】
また、スカイスクレイパ形態の広告および固定形態の広告を用いて、スクローリングの可否に関係なくユーザが関心を有するコンテンツと関連した広告持続して提供することができる。
【００６３】
さらに、ユーザが現在見ているコンテンツと関連した広告を提供することで、ユーザが関心を有するコンテンツと関連した広告提供しようとする広告主の意図に適合させることができる。
【図面の簡単な説明】
【００６４】
【図１】従来技術に係るコンテンツと広告とをマッチングさせて提供する方法を示すフローチャートである。
【図２】本発明の一実施形態において、イベントの発生を用いた可視領域コンテンツと関連した広告を提供する方法を示すフローチャートである。
【図３】本発明の一実施形態において、ウェブページを複数のコンテンツ領域に区分する一例を示す図である。
【図４】本発明の一実施形態において、ユーザ入力によるコンテンツ領域確認方法およびコンテンツ関連広告提供方法の一例を示す図である。
【図５】本発明の一実施形態において、スクローリングによるコンテンツ領域確認方法およびコンテンツ関連広告提供方法の一例を示す図である。
【図６】本発明の一実施形態において、ウェブページにおけるスクローリングと関連したスカイスクレイパ形態広告使用の一例を示す図である。
【図７】本発明の一実施形態において、ウェブページにおけるスクローリングと関連した固定形態広告の一例を示す図である。
【図８】本発明の一実施形態において、可視領域コンテンツと関連した広告を提供するためのシステムの内部構成を説明するためのブロック図である。
【図９】本発明の一実施形態において、コンテンツ領域確認部の内部構成を説明するためのブロック図である。
【図１０】本発明の一実施形態において、広告提供部の内部構成を説明するためのブロック図である。
【図１１】本発明の一実施形態において、可視領域コンテンツと関連した広告を提供する方法を示すフローチャートである。
【図１】
2009524847.tif 000003
【図２】
2009524847.tif 000004
【図３】
2009524847.tif 000005
【図４】
2009524847.tif 000006
【図５】
2009524847.tif 000007
【図６】
2009524847.tif 000008
【図７】
2009524847.tif 000009
【図８】
2009524847.tif 000010
【図９】
2009524847.tif 000011
【図１０】
2009524847.tif 000012
【図１１】
2009524847.tif 000013
【国際調査報告】
2009524847.tif 000014
2009524847.tif 000015